(57)【特許請求の範囲】
【請求項１】
第１刃先とこれに隣接する第２刃先とを有する第１上刃と、第１刃先とこれに隣接する第２刃先とを有する第２上刃とからなり、前記第１上刃の第１刃先と前記第２上刃の第１刃先とが連接配置され、前記第１上刃の第２刃先と前記第２上刃の第２刃先とが対面配置された上刃セットと、
第１刃先とこれに隣接する第２刃先とを有する第１下刃と、第１刃先とこれに隣接する第２刃先とを有する第２下刃とからなり、前記第１下刃の第１刃先と前記第２下刃の第１刃先とが連接配置され、前記第１下刃の第２刃先と前記第２下刃の第２刃先とが対面配置された下刃セットであり、前記第１下刃は当該第１下刃の第１刃先と前記第１上刃の第１刃先との剪断および当該第１下刃の第２刃先と前記第２上刃の第２刃先との剪断により薬剤シートを切断可能であり、前記第２下刃は当該第２下刃の第１刃先と前記第２上刃の第１刃先との剪断および当該第２下刃の第２刃先と前記第１上刃の第２刃先との剪断により前記薬剤シートを切断可能である下刃セットと、
前記第１上刃および前記第１下刃または前記第２上刃および前記第２下刃を移動させることにより、前記薬剤シートを前記第１上刃の第２刃先と前記第２下刃の第２刃先との剪断または前記第２上刃の第２刃先と前記第１下刃の第２刃先との剪断によって切断可能とする移動機構と
を含む薬剤シートの切断装置。
【請求項２】
前記移動機構は、前記第１上刃および前記第１下刃または前記第２上刃および前記第２下刃を一体に移動するものである請求項１記載の薬剤シートの切断装置。
【請求項３】
前記上刃セットまたは前記下刃セットを一体に昇降する昇降機構を含む請求項１または２に記載の薬剤シートの切断装置。
【発明の詳細な説明】
【技術分野】
【０００１】
本発明は、複数の錠剤やカプセル剤が包装された薬剤シートの切断装置に関する。
【背景技術】
【０００２】
近年の錠剤やカプセル剤の包装は、ＰＴＰ（プレス・スルー・パッケージ）シートが主流である。ＰＴＰシートには複数の錠剤が規則正しく配列されており、調剤作業も容易となっている。ところで、このＰＴＰシートは薬剤師が医師の処方箋に基づいて患者に調剤するものであるが、処方された薬剤の所要個数に端数が存在する場合、薬剤が所要個数となるようにＰＴＰシートを切断する必要がある。
【０００３】
このようなＰＴＰシートの端数分を含めて自動的に調剤する調剤装置として、例えば特許文献１に記載のものが知られている。この特許文献１に記載の調剤装置では、移動基台の底面に縦切部を打ち抜くための縦刃と、横切部を打ち抜くための横刃がそれぞれ取り付けられており、それぞれ縦刃が縦ダイス穴に対して潜入でき、横刃が横ダイス穴に対して潜入できるようにされているダイスがカッターの基部となる基部板上に調整固定されている。そして、この調剤装置では、ＰＴＰシートの縦切部および横切部をカットするために、錠剤シートをＸＺ方向に移動して縦刃または横刃により打ち抜くことを複数回に渡って繰り返し行う。
【先行技術文献】
【特許文献】
【０００４】
【特許文献１】特開平４−２６９９６６号公報（段落００５９〜００６３，０１２２〜０１２４、図２，図１１）
【発明の概要】
【発明が解決しようとする課題】
【０００５】
上述のように特許文献１に記載の調剤装置では、ＰＴＰシートの縦切部および横切部を、それぞれ別々に配置されている縦刃および縦ダイス穴と横刃および横ダイス穴とによって打ち抜く構成であるため、ＰＴＰシートをこれらの間で移動して打ち抜くという動作を１つずつ行う必要があり、切断に時間を要する。特に縦切部の打ち抜きの際には、その全長に応じて錠剤シートをＺ方向に移動して打ち抜く動作を繰り返し行わなければならず、さらにカットに時間を要する原因となっている。
【０００６】
また、特許文献１に記載の調剤装置では、それぞれ別々の縦刃および縦ダイス穴と横刃および横ダイス穴とによって縦切部および横切部を打ち抜くため、縦切部と横切部を十字型に僅かにオーバーラップさせることにより、縦切部と横切部の交点での切り残しがなく、切断が確実に行われるようにしている。しかしながら、このように縦切部と横切部を十字型に僅かにオーバーラップさせた切断部分は切り込みが残ったままになってしまうため、見た目が悪いという問題がある。
【０００７】
そこで、本発明においては、ＰＴＰシートのような薬剤シートの縦方向および横方向の切断を一度で行うことが可能であり、かつ切断部分の切り込みが残らない薬剤シートの切断装置を提供することを目的とする。
【課題を解決するための手段】
【０００８】
本発明の薬剤シートの切断装置は、第１刃先とこれに隣接する第２刃先とを有する第１上刃と、第１刃先とこれに隣接する第２刃先とを有する第２上刃とからなり、第１上刃の第１刃先と第２上刃の第１刃先とが連接配置され、第１上刃の第２刃先と第２上刃の第２刃先とが対面配置された上刃セットと、第１刃先とこれに隣接する第２刃先とを有する第１下刃と、第１刃先とこれに隣接する第２刃先とを有する第２下刃とからなり、第１下刃の第１刃先と第２下刃の第１刃先とが連接配置され、第１下刃の第２刃先と第２下刃の第２刃先とが対面配置された下刃セットであり、第１下刃は当該第１下刃の第１刃先と第１上刃の第１刃先との剪断および当該第１下刃の第２刃先と第２上刃の第２刃先との剪断により薬剤シートを切断可能であり、第２下刃は当該第２下刃の第１刃先と第２上刃の第１刃先との剪断および当該第２下刃の第２刃先と第１上刃の第２刃先との剪断により薬剤シートを切断可能である下刃セットと、第１上刃および第１下刃または第２上刃および第２下刃を移動させることにより、薬剤シートを第１上刃の第２刃先と第２下刃の第２刃先との剪断または第２上刃の第２刃先と第１下刃の第２刃先との剪断によって切断可能とする移動機構とを含むものである。
【０００９】
本発明の薬剤シートの切断装置では、上刃セットの第１上刃の第１刃先と第２上刃の第１刃先とを揃えるとともに下刃セットの第１下刃の第１刃先と第２下刃の第１刃先とを揃えた状態で上刃セットと下刃セットとの剪断により薬剤シートを切断すると、第１上刃の第１刃先と第１下刃の第１刃先との剪断および第２上刃の第１刃先と第２下刃の第１刃先との剪断によって薬剤シートは１方向に切断される。また、移動機構により第１上刃および第１下刃または第２上刃および第２下刃を移動させた状態で上刃セットと下刃セットとの剪断により薬剤シートを切断すると、第１上刃の第１刃先と第１下刃の第１刃先との剪断または第２上刃の第１刃先と第２下刃の第２刃先との剪断のいずれか一方または両方に加えて、第１上刃の第２刃先と第２下刃の第２刃先との剪断または第１下刃の第２刃先と第２上刃の第２刃先との剪断によって一度に２方向に切断される。
【００１０】
ここで、移動機構は、第１上刃および第１下刃または第２上刃および第２下刃を一体に移動するものであることが望ましい。これにより、１つの駆動源により第１上刃および第１下刃または第２上刃および第２下刃を一度に移動させることができる。
【００１１】
また、本発明の切断装置は、上刃セットまたは下刃セットを一体に昇降する昇降機構を含むものであることが望ましい。これにより、１つの駆動源により上刃セットまたは下刃セットを一度に昇降させることができる。
【発明の効果】
【００１２】
（１）第１上刃と第２上刃とからなる上刃セットと、第１下刃と第２下刃とからなる下刃セットであり、第１下刃は第１上刃との剪断および第２上刃との剪断により薬剤シートを切断可能であり、第２下刃は第２上刃との剪断および第１上刃との剪断により薬剤シートを切断可能である下刃セットと、第１上刃および第１下刃または第２上刃および第２下刃を移動させることにより、薬剤シートを第１上刃と第２下刃との剪断または第２上刃と第１下刃との剪断によって切断可能とする移動機構とを含む構成により、一度に２方向の切断を行うことが可能であり、短時間での薬剤シートの切断を完了することができる。また、第１上刃、第２上刃、第１下刃および第２下刃のそれぞれの第１刃先と第２刃先とが隣接しているため、この切断部分に従来のような切り込みが残ることがない。
【００１３】
（２）移動機構が、第１上刃および第１下刃または第２上刃および第２下刃を一体に移動するものであることにより、１つの駆動源により第１上刃および第１下刃または第２上刃および第２下刃を一度に移動させることができ、切断装置のコストを下げることができる。
【００１４】
（３）上刃セットまたは下刃セットを一体に昇降する昇降機構を含むものであることにより、１つの駆動源により上刃セットまたは下刃セットを一度に昇降させることができ、切断装置のコストを下げることができる。
【図面の簡単な説明】
【００１５】
【図１】本発明の実施の形態における薬剤シートの切断装置の斜視図である。
【図２】（ａ）は図１の切断装置の上刃セットおよび下刃セットのみを拡大して示した斜視図、（ｂ）は（ａ）の第１上刃および第１下刃を後方へ移動させた状態を示した斜視図である。
【図３】薬剤シートの切断例を示す説明図である。
【発明を実施するための形態】
【００１６】
図１は本発明の実施の形態における薬剤シートの切断装置の斜視図、図２（ａ）は図１の切断装置の上刃セットおよび下刃セットのみを拡大して示した斜視図、（ｂ）は（ａ）の第１上刃および第１下刃を後方へ移動させた状態を示した斜視図である。
【００１７】
図１において、本発明の実施の形態における薬剤シートの切断装置１は、第１上刃２ａと第２上刃２ｂとからなる上刃セット２と、第１下刃３ａと第２下刃３ｂとからなる下刃セット３と、第１上刃２ａおよび第１下刃３ａをＸ軸方向の前方（Ｘ方向）および後方（−Ｘ方向）へ水平移動させる移動機構４と、上刃セット２を鉛直方向（Ｚ軸方向）に昇降させる昇降機構５とが、テーブル６上に配設されたものである。なお、図１においてＸＹＺは互いに直交する軸である。
【００１８】
図２（ａ）に示すように、第１上刃２ａは、ＹＺ面内の第１刃先２ａ−１と、これに隣接するＸＺ面内の第２刃先２ａ−２とを有する。第２上刃２ｂは、ＹＺ面内の第１刃先２ｂ−１と、これに隣接するＸＺ面内の第２刃先２ｂ−２とを有する。第１上刃２ａの第１刃先２ａ−１と第２上刃２ｂの第１刃先２ｂ−１とは連接するように配置されている。また、第１上刃２ａの第２刃先２ａ−２と第２上刃２ｂの第２刃先２ｂ−２とは対面するように配置されている。そして、第１刃先２ａ−１，２ｂ−１および第２刃先２ａ−２，２ｂ−２は、いずれもこれらの接点２０を最下端としてＺ軸方向に若干傾斜させて設けられている。
【００１９】
一方、第１下刃３ａは、第１刃先３ａ−１と、これに隣接する第２刃先３ａ−２とを有する。第２下刃３ｂは、第１刃先３ｂ−１と、これに隣接する第２刃先３ｂ−２とを有する。第１刃先３ａ−１，３ｂ−１および第２刃先３ａ−２，３ｂ−２は、すべて同一のＸＹ面内にある。また、第１刃先３ａ−１，３ｂ−１はＹ軸と平行に設けられており、これらは連接するように配置されている。また、第１下刃３ａの第２刃先３ａ−２と第２下刃３ｂの第２刃先３ｂ−２とは対面するようにＸ軸と平行に配置されている。
【００２０】
移動機構４は、テーブル６上に固定されたガイド４０ａと、ガイド４０ａ上でＸ軸方向に移動可能なスライダ４０ｂと、スライダ４０ｂを移動させるための駆動源としてのモータ４０ｃとを有する。スライダ４０ｂ上にはテーブル４１が固定されている。第１下刃３ａはテーブル４１上に固定されている。第１上刃２ａは、テーブル４１上に固定されたガイド５０ａによってＺ軸方向に移動可能なスライダ５０ｂに固定されている。すなわち、第１上刃２ａおよび第１下刃３ａは、テーブル４１をスライダ５０ｂによってＸ軸方向に移動させることで、Ｘ軸方向に一体に移動するようになっている。
【００２１】
一方、第２下刃３ｂはテーブル６上に固定されたテーブル６０上に固定されている。また、第２上刃２ｂはテーブル６０上に固定されたガイド５１ａによって、Ｚ軸方向に移動可能なスライダ５１ｂに固定されている。
【００２２】
昇降機構５は、上記のガイド５０ａ，５１ａおよびスライダ５０ｂ，５１ｂと、第２上刃２ｂに固定されたアーム５２と、第１上刃２ａに固定されたガイド５３ａと、ガイド５３ａによってＸ方向に移動可能なスライダ５３ｂと、アーム５２をＺ軸方向に昇降させるための駆動源としてのモータ５４とを有する。スライダ５３ｂは、アーム５２に固定されている。この構成の昇降装置５により、第１上刃２ａのＸ軸方向の位置に関わらず、第１上刃２ａおよび第２上刃２ｂは一体に昇降するようになっている。
【００２３】
上記構成の薬剤シートの切断装置１では、図２（ａ）に示すように、上刃セット２の第１上刃２ａの第１刃先２ａ−１と第２上刃２ｂの第１刃先２ｂ−１とを揃えるとともに、下刃セット３の第１下刃３ａの第１刃先３ａ−１と第２下刃３ｂの第２刃先３ｂ−１とを揃えた状態で、昇降装置５により上刃セット２を昇降させると、図３（ａ）に示すように、第１上刃２ａの第１刃先２ａ−１と第１下刃３ａの第１刃先３ａ−１との剪断および第２上刃２ｂの第１刃先２ｂ−１と第２下刃３ｂの第１刃先３ｂ−１との剪断によって薬剤シートＳを一方向に切断することができる。
【００２４】
また、図３（ｂ）に示すように、薬剤シートＳの一方の角部分をＬ字状に切断する場合には、図２（ｂ）に示すように移動機構４により第１上刃２ａおよび第１下刃３ａをＸ軸の後方へ移動させる。この状態で昇降装置５により上刃セット２を昇降させると、図３（ｂ）に示すように、第２上刃２ｂの第１刃先２ｂ−１と第２下刃３ｂの第１刃先３ｂ−１との剪断および第２上刃２ｂの第２刃先２ｂ−２と第１下刃３ａの第２刃先３ａ−２との剪断によって薬剤シートＳを一度に２方向に切断することができる。
【００２５】
さらに、図３（ｃ）に示すように、薬剤シートＳの反対側の一方の角部分をＬ字状に切断する場合には、図２（ｂ）とは逆に移動機構４により第１上刃２ａおよび第１下刃３ａをＸ軸の前方へ移動させる。この状態で昇降装置５により上刃セット２を昇降させると、図３（ｃ）に示すように、第１上刃２ａの第１刃先２ａ−１と第１下刃３ａの第１刃先３ａ−１との剪断および第１上刃２ａの第２刃先２ａ−２と第２下刃３ｂの第２刃先３ｂ−２との剪断によって薬剤シートＳを一度に２方向に切断することができる。
【００２６】
また、図３（ｄ）に示すように、薬剤シートＳを階段状に切断する場合には、第１上刃２ａおよび第１下刃３ａは図３（ｃ）の状態のまま、薬剤シートＳの位置を調整することで、第１上刃２ａの第１刃先２ａ−１と第１下刃３ａの第１刃先３ａ−１との剪断および第１上刃２ａの第２刃先２ａ−２と第２下刃３ｂの第２刃先３ｂ−２との剪断に加えて、第２上刃２ｂの第１刃先２ｂ−１と第２下刃３ｂの第１刃先３ｂ−１との剪断により、切断することが可能となる。
【００２７】
このように、本実施形態における切断装置１によれば、一度に２方向の切断を行うことが可能であり、短時間での薬剤シートＳの切断を完了することができる。また、第１上刃２ａ、第２上刃２ｂ、第１下刃３ａおよび第２下刃３ｂのそれぞれの第１刃先２ａ−１，２ｂ−１，３ａ−１，３ｂ−１と第２刃先２ａ−１，２ｂ−２，３ａ−２，３ｂ−２とが隣接しているため、この切断部分に従来のような切り込みが残ることがない。
【００２８】
特に、本実施形態における切断装置１では、第１刃先２ａ−１，２ｂ−１および第２刃先２ａ−２，２ｂ−２は、いずれもこれらの接点２０を最下端としてＺ軸方向に若干傾斜させて設けられているため、この薬剤シートＳのＬ字状の交点から外側に向かって切り込まれていくので、Ｌ字状の交点の切断部分がきれいに切断される。
【００２９】
なお、本実施形態における切断装置１では、第２上刃２ｂおよび第２下刃３ｂ側をＸ方向に移動させずに、第１上刃２ａおよび第１上刃３ａ側を移動機構４によりＸ方向に移動する構成としているが、これとは逆に第２上刃２ｂおよび第２下刃３ｂ側をＸ方向に移動させたり、あるいは両方を移動させたりする構成とすることも可能である。また、本実施形態における切断装置１では上刃セット２を昇降装置５により昇降する構成としているが、これとは逆に下刃セット３を昇降させたり、あるいは両方を昇降させたりする構成とすることも可能である。
【産業上の利用可能性】
【００３０】
本発明の薬剤シートの切断装置は、複数の錠剤やカプセル剤が包装されたＰＴＰシートなどの薬剤シートを切断するための装置として有用である。
【符号の説明】
【００３１】
１  切断装置
２  上刃セット
２ａ  第１上刃
２ａ−１  第１刃先
２ａ−２  第２刃先
２ｂ  第２上刃
２ｂ−１  第１刃先
２ｂ−２  第２刃先
３  下刃セット
３ａ  第１下刃
３ａ−１  第１刃先
３ａ−２  第２刃先
３ｂ  第２下刃
３ｂ−１  第１刃先
３ｂ−２  第２刃先
４  移動機構
４０ａ  ガイド
４０ｂ  スライダ
４０ｃ  モータ
４１  テーブル
５  昇降装置
５０ａ，５１ａ，５３ａ  ガイド
５０ｂ，５１ｂ，５３ｂ  スライダ
５２  アーム
５４  モータ
６，６０  テーブル
【図１】
0005188549.tif 000002
【図２】
0005188549.tif 000003
【図３】
0005188549.tif 000004